(57)【要約】【課題】本発明は製造が容易で、特別な装置や機構を用いることなく、正確に表示位置で停止させることができる安価な表示装置および表示ドラムを得るにある。【解決手段】表示ドラムをステッピングモータやパルスモータ等のモータで駆動させる表示装置において、前記モータの駆動軸に接続される表示ドラムの軸受部材を支持する、少なくとも３本の支持アームを回転方向に弾性力が作用するように形成して表示装置を構成している。【選択図】  図５
2004222767.tif 000002
【特許請求の範囲】
【請求項１】
表示ドラムをステッピングモータやパルスモータ等のモータで駆動させる表示装置において、前記モータの駆動軸に接続される表示ドラムの軸受部材を支持する、少なくとも３本の支持アームを回転方向に弾性力が作用するように形成したことを特徴とする表示装置。
【請求項２】
表示ドラム本体と、この表示ドラム本体の一端部あるいは一端部寄りの部位の内側面に少なくとも３本の回転方向に弾性力が作用する支持アームを介して軸受部を形成した軸受部材とからなることを特徴とする表示ドラム。
【請求項３】
合成樹脂材製の表示ドラム本体と、この表示ドラム本体の一端部あるいは一端部寄りの部位の内側面に一体形成された回転方向に弾性力が作用する少なくとも３本の支持アームを介して軸受部を形成された軸受部材とからなることを特徴とする表示ドラム。
【発明の詳細な説明】
【０００１】
【発明の属する技術分野】
本発明はパチンコ機やスロットマシン等の遊戯装置に主に使用される表示装置および表示ドラムに関する。
【０００２】
【従来の技術】
従来のこの種の表示装置は、表示ドラム本体の一端部の内側面に４本の支持アームを介して、ステッピングモータの駆動軸等と接続される軸受部が形成された軸受部材が固定的に取付けられた表示ドラムを使用している。
【０００３】
【発明が解決しようとする課題】
従来の表示ドラムは、ステッピングモータの駆動軸の振動による共振、回転時の乱調を防止するために、表示ドラムの軸受部とステッピングモータの駆動軸との間に、弾性部材からなる振動吸収体を設けているため、部品点数が増加し、製造に手数がかかるとともに、コスト高になるという欠点があった。
また、振動吸収体が弾性部材からなるため、回転方向のみならず軸方向にも弾性力が作用して、表示ドラムが軸方向に対して振動することにより、見る者に不快な印象を与えてしまうという欠点があった。
【０００４】
本発明は以上のような従来の欠点に鑑み、製造が容易で、特別な装置や機構を用いることなく、ステッピングモータの駆動軸の振動による共振、回転時の乱調を防止して、スムーズな回転動作を得ることができるとともに、表示ドラムの軸方向に対する振動を防止して、見る者に心地よい印象を与えることができる安価な表示装置および表示ドラムを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は表示ドラムをステッピングモータやパルスモータ等のモータで駆動させる表示装置において、前記モータの駆動軸に接続される表示ドラムの軸受部材を支持する、少なくとも３本の支持アームを回転方向に弾性力が作用するように形成して表示装置を構成している。
【０００７】
また、本発明は表示ドラム本体と、この表示ドラム本体の一端部あるいは一端部寄りの部位の内側面に少なくとも３本の回転方向に弾性力が作用する支持アームを介して軸受部を形成した軸受部材とで表示ドラムを構成している。
【０００８】
【発明の実施の形態】
以下、図面に示す実施の形態により、本発明を詳細に説明する。
【０００９】
図１ないし図５に示す本発明の第１の実施の形態において、１はスロットマシン２に使用されている本発明の表示装置で、この表示装置１はフレーム３に固定されたステッピングモータやパルスモータ等の駆動レバー４の操作で回転し、停止ボタン５、５Ａ、５Ｂの操作で停止するモータ６、６、６と、このモータ６、６、６の駆動軸７、７、７に接続される表示ドラム８、８、８とで構成されている。
【００１０】
前記表示ドラム８、８、８は図３ないし図５に示すように、合成樹脂材製の円筒状の表示ドラム本体９と、この表示ドラム本体９の一端部あるいは一端部寄りの部位の内側面に一体形成された少なくとも３本、本発明の実施の形態では４本の回転方向に弾性力が作用する断面長方形状の板状の支持アーム１０、１０、１０、１０を介して、前記駆動軸７に固定される軸受部１１を形成された軸受部材１２と、この軸受部材１２の軸受部１１に一体形成された前記支持アーム１０、１０、１０、１０間に突出する、前記駆動軸７に固定される取付具１３にビス１４、１４によって固定することができる取付片１５、１５とで構成されている。
【００１１】
上記構成の表示装置１は駆動レバー４の操作でモータ６、６、６が駆動して、表示ドラム８、８、８をそれぞれ回転させる。
この状態で、停止ボタン５、５Ａ、５Ｂを操作することにより、該停止ボタン５、５Ａ、５Ｂの操作時に設定された停止位置で表示ドラム本体９、９、９が停止する。
この時、モータ６、６、６の駆動軸７、７、７と表示ドラム本体９、９、９との間に、回転方向に弾性力が作用する軸受部材１２、１２、１２によって、表示ドラム本体９、９、９の軸方向に対する振動を防止した状態で、モータ起動時や加速時における脱調や、駆動軸の振動による共振、モータ回転時における乱調等を防止して、表示ドラム本体９、９、９をスムーズに回転動作させることができるとともに、正確な位置で表示ドラム本体９、９、９を停止させることができるため、見る者、操作する者に心地よい印象を与えることができる。
【００１２】
【発明の異なる実施の形態】
次に、図６ないし図１４に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図６ないし図８に示す示す本発明の第２の実施の形態において、前記本発明の第１の実施の形態と主に異なる点は、合成樹脂材製の円筒状の表示ドラム本体９Ａと、この表示ドラム本体９Ａの両端部に溶着あるいは接着剤等によって固定された合成樹脂材製の端部リング１６、１６と、この端部リング１６、１６の一方の端部リング１６に一体形成された軸受部材１２とで形成された表示ドラム８Ａ、８Ａ、８Ａを用いた点で、このように形成された表示ドラム８Ａ、８Ａ、８Ａを用いて構成した表示装置１Ａにしても、前記本発明の第１の実施の形態と同様な作用効果が得られる。
【００１４】
図９ないし図１１に示す示す本発明の第３の実施の形態において、前記本発明の第２の実施の形態と主に異なる点は、一方の端部リング１６に別体で形成された軸受部材１２Ａを溶着あるいは接着剤等で固定した点で、このように形成された表示ドラム８Ｂ、８Ｂ、８Ｂを用いて構成した表示装置１Ｂにしても、前記本発明の第２の実施の形態と同様な作用効果が得られる。
【００１５】
図１２ないし図１４に示す示す本発明の第４の実施の形態において、前記本発明の第３の実施の形態と主に異なる点は、３本の円柱状の支持アーム１０、１０、１０を形成した軸受部材１２Ｂを使用した表示ドラム８Ｃ、８Ｃ、８Ｃを用いた点で、このような表示ドラム８Ｃ、８Ｃ、８Ｃを用いて構成した表示装置１Ｃにしても、前記本発明の第３の実施の形態と同様な作用効果が得られる。
【００１６】
なお、前記本発明の各実施の形態ではスロットマシンに使用したものについて説明したが、本発明はこれに限らず、パチンコ機やその他の遊戯装置の表示装置としても同様に使用することができる。
【００１７】
【発明の効果】
以上の説明から明らかなように、本発明にあっては次に列挙する効果が得られる。
【００１８】
（１）表示ドラムをステッピングモータやパルスモータ等のモータで駆動させる表示装置において、前記モータの駆動軸に接続される表示ドラムの軸受部材を支持する、少なくとも３本の支持アームを回転方向に弾性力が作用するように形成したので、ステッピングモータやパルスモータ等の脱調や駆動軸の振動による共振、乱調等を、表示ドラムの軸受部材を支持する支持アームの弾性力によって吸収し、表示ドラムをスムーズに回転動作させることができるとともに、正確な位置で表示ドラムを停止させることができる。
また、表示ドラムの軸方向に対する振動を防止することができるため、見る者、操作する者に心地よい印象を与えることができる。
さらに、従来のように特別な装置や機構を用いる必要がないため、コストの低減を図ることができる。
【００１９】
（２）前記（１）によって、軸受部材の支持アームに回転方向の弾性力を作用するように形成するだけでよいので、容易に安価に製造することができる。
【００２０】
（３）前記（１）によって、軸受部材の支持アームの形状を設計変更するだけでよく、容易で気軽に実施することができる。
【００２１】
（４）請求項２、３も前記（１）〜（３）と同様な効果が得られる。
【図面の簡単な説明】
【図１】本発明の第１の実施の形態の使用状態の正面図。
【図２】図１の２−２線に沿う断面図。
【図３】本発明の第１の実施の形態の正面図。
【図４】本発明の第１の実施の形態の側面図。
【図５】図３の５−５線に沿う断面図。
【図６】本発明の第２の実施の形態の使用状態の正面図。
【図７】本発明の第２の実施の形態の正面図。
【図８】図７の８−８線に沿う断面図。
【図９】本発明の第３の実施の形態の使用状態の正面図。
【図１０】本発明の第３の実施の形態の正面図。
【図１１】図１０の１１−１１線に沿う断面図。
【図１２】本発明の第４の実施の形態の使用状態の正面図。
【図１３】本発明の第４の実施の形態の正面図。
【図１４】図１３の１４−１４線に沿う断面図。
【符号の説明】
１、１Ａ、１Ｂ、１Ｃ：表示装置、
２：スロットマシン、    ３：フレーム、
４：駆動レバー、
５、５Ａ、５Ｂ：停止ボタン、
６：モータ、            ７：駆動軸、
８、８Ａ、８Ｂ、８Ｃ：表示ドラム、
９、９Ａ：表示ドラム本体、
１０：支持アーム、      １１：軸受部、
１２、１２Ａ、１２Ｂ：軸受部材、
１３：取付具、          １４：ビス、
１５：取付片、          １６：端部リング。
【図１】
2004222767.tif 000003
【図２】
2004222767.tif 000004
【図３】
2004222767.tif 000005
【図４】
2004222767.tif 000006
【図５】
2004222767.tif 000007
【図６】
2004222767.tif 000008
【図７】
2004222767.tif 000009
【図８】
2004222767.tif 000010
【図９】
2004222767.tif 000011
【図１０】
2004222767.tif 000012
【図１１】
2004222767.tif 000013
【図１２】
2004222767.tif 000014
【図１３】
2004222767.tif 000015
【図１４】
2004222767.tif 000016